(57)【要約】【課題】若い女性から年配者に至るまで丸みを帯びていわゆる桃尻を創り出したり尻の形を整えるのに寄与することができる。【解決手段】背中側腰回り中央部位およびこの中央部位を境として左右の両脇部に、それぞれ少なくとも２本の下方向に延びる帯状部材４ａ、４ｂ、６ａ、６ｂ、８ａ、８ｂを所定間隔離間して配置することにより、背面側の中央部位および左右の両脇部に周囲の部分に比べて強い締付け力を生じさせ、この領域における前記帯状部材に当接する部分の肉を他の位置に移動させるようにしたことを特徴とする。【選択図】図２
0003122948.tif 000002
【実用新案登録請求の範囲】
【請求項１】
背中側腰回り中央部位およびこの中央部位を境として左右の両脇部に、それぞれ少なくとも２本の下方向に延びる帯状部材を所定間隔離間して配置することにより、背面側の中央部位および左右の両脇部を、周囲の部分に比べて強い締付け力を生じさせ、この領域における前記帯状部材に当接する部分の肉を他の位置に移動させるようにしたことを特徴とするガードル。
【請求項２】
前記背面側両脇部に配設される帯状部材は、下方に向かうに従って末広がりとなるようにハの字状に拡開されていることを特徴とする請求項１に記載のガードル。
【請求項３】
前記背中側腰回り中央部位には、３本の帯状部材が配置され、左右の両脇部には、２本の帯状部材が配置されていることを特徴とする請求項１または２に記載のガードル。
【請求項４】
脚の付け根部を囲繞する部分は、伸縮性の強い部材で形成されるとともに、前記太ももより上位で、かつ尻部を覆う部分は伸縮性の弱い部材で形成されていることを特徴とする請求項１〜３のいずれかに記載のガードル。
【考案の詳細な説明】
【技術分野】
【０００１】
本考案はガードルに関するもので、詳しくは、尻部の形を良好に整える補整機能を備えるとともに使用者に不快感や圧迫感を感じさせることのないガードルに関する。
【背景技術】
【０００２】
女性用衣類としてのガードルは、ブラジャーと同様に機能性や美観性の要求が高い衣類の一つである。特に、太りぎみの女性は、尻の部分を小さく見せたい一方で、年配の人の間では、垂れ下がった尻を持上げるといった機能が求められている。
【０００３】
また、腰痛のある人、婦人病などを患っている人は、不快感の無い状態で尻部を押えたいという要求がある。
例えば、このように体型の補整機能が要求されるガードルとして、特許文献１に開示されたものがある。このガードルでは、編み方や下地の模様に変化を持たせることにより、緊迫感の強い部分と緊迫感の弱い部分とを設けている。
【特許文献１】特開２０００−３０３２０９号公報
【考案の開示】
【考案が解決しようとする課題】
【０００４】
ところで、特許文献１のガードルでは、編み方が複雑になるため、コスト高になるとともに図柄が多く必要で、デザイン的にも複雑になる虞がある。
本考案は、このような従来の問題点に鑑み、若い女性から年配者に至るまで丸みを帯びていわゆる桃尻を創り出したり尻の形を整えるのに寄与するガードルを提供することを目的としている。
【課題を解決するための手段】
【０００５】
本考案に係るガードルは、背中側腰回り中央部位およびこの中央部位を境として左右の両脇部に、それぞれ少なくとも２本の下方向に延びる帯状部材を所定間隔離間して配置することにより、背面側の中央部位および左右の両脇部を、周囲の部分に比べて強い締付け力を生じさせ、この領域における前記帯状部材に当接する部分の肉を他の位置に移動させるようにしたことを特徴としている。
【０００６】
係る構成によるガードルによれば、無駄な肉の溜まり易い部分、あるいは体型のラインとして外に出易い部分に帯状部材を設けることにより、その部分の不要な肉を他の箇所に移動させることができる。
【０００７】
これにより、整えられたラインを崩して太りぎみとして外に出易い部分を小さくし、外から見て好ましいラインを創り出すことができる。また、帯状部材により軽い指圧効果が発揮されるので不快感の無い状態で腰回りを押えることができる。
【０００８】
ここで、本考案では、前記背面側両脇部に配設される帯状部材は、下方に向かうに従って末広がりとなるようにハの字状に拡開されていることが好ましい。
このような構成のガードルによれば、より一層美しいラインを作ることができる。
【０００９】
また、本考案では、前記背中側腰回り中央部位には、３本の帯状部材が配置され、左右の両脇部には、２本の帯状部材が配置されていることが好ましい。
このような構成であれば、贅肉の溜まり易い部分を生地そのものに加えて計７本の帯状部材で矯正することができ、特に若い女性であれば、桃尻を創り出すのに好適である。
【００１０】
さらに、本考案では、脚の付け根部を囲繞する部分は、伸縮性の強い部材で形成されるとともに、前記太ももより上位で、かつ尻部を覆う部分は伸縮性の弱い部材で形成されていることが好ましい。
【００１１】
このような構成であれば、不要のラインを外部に露見させず、尻部本来の美しい丸みを外部に露見することができる。
【考案の効果】
【００１２】
本考案に係るガードルによれば、帯状部材に当接する部分の肉を無理なく上から押えることにより、その部分の肉を周囲に移動させることができる。したがって、尻全体の形状を魅力的な丸型に近づかせ、例えば若い女性であれば、いわゆる桃尻を創り出すことが可能になる。
【００１３】
さらに、背面側中央部と両脇部の計３箇所で軽い指圧効果が得られるので、不快感の無い状態で腰回りを押えることができる。
また、両側の帯状部材を下方に向かうに従って末広がりとなるハの字状に配置すれば、一層美しいラインを創り出すことができる。
【考案を実施するための最良の形態】
【００１４】
以下に、本考案に係るガードルの一実施例について説明する。
図１および図２は本考案の一実施例に係るガードルを示したものである。
このガードル２では、特に背面側に特徴がある。すなわち、ガードル２において、脚の付け根部を囲繞する部分の素材は、伸縮性の強い部材いわゆるパワーネットＡで形成され、この部分は締付け力が若干強く働くように形成されている。そして、このパワーネットＡの下部が、通常レース素材１２として構成される。
【００１５】
一方、左右の尻１０，１０を覆う略半円状領域の素材は、薄手の伸縮性レース部材Ｂから形成されている。このように、自然美を出したい丸みを帯びた尻１０の部分は薄手の伸縮性レース部材Ｂにより軽く押えるように構成されている。
【００１６】
このようなガードル２において、背中側腰回り中央部位に２本の帯状部材４ａ、４ｂが下方で合流するように配置され、さらにその間に直線状の帯状部材４ｃが配置されている。このような帯状部材４ａ，４ｂ，４ｃを中心として、左右の両脇部に、２本の帯状部材６ａ、６ｂおよび帯状部材８ａ、８ｂが配置されている。したがって、尻部１０，１０の周囲には、合計７本の帯状部材が配置されている。
【００１７】
また、２本の帯状部材６ａ、６ｂならびに帯状部材８ａ、８ｂは、それぞれ略平行に配置されているが、一対の脇部ではハの字を形成するように、末広がりに拡開されている。
本実施例によるガードル２の主要部は、上記のように構成されているが、以下に作用について説明する。
【００１８】
先ず、このガードル２を女性が装着すると、背中側腰回りの中間部位で、帯状部材４ａ、４ｂおよび４ｃがこれに当接する尻の贅肉部分を押し付ける。すると、押された部分の贅肉は、周囲の丸みを必要とする部位に押し付ける。また、両脇部の帯状部材６ａ、６ｂおよび帯状部材８ａ、８ｂでも押さえつけた部分の贅肉が周囲に押し付けられる。よって、女性の尻１０，１０についた過度の贅肉を周囲に分散し、しかもその贅肉を尻に丸みを付けるために用いることができる。したがって、補整効果が向上する。さらに、中央部あるいは両脇部の少なくとも１つの箇所において２本あるいは３本の帯状部材により、若干離間させて押えるようにしているので、軽い指圧効果を期待することができる。よって、
着心地も良好である。
【００１９】
以上、本考案の一実施例に付いて説明したが本考案はこれに限定されない。
例えば、上記実施例では、両脇部に２本の帯状部材６ａ、６ｂおよび帯状部材８ａ、８ｂを設けたが、これらの帯状部材は、２本になんら限定されない。３本以上あっても良い。また、これらの帯状部材は、素地の中に織り込んであっても良く、ガードル本体の模様は何ら限定されない。
【図面の簡単な説明】
【００２０】
【図１】図１は，本考案の一実施例に係るガードルの背面側を示した概略図である。
【図２】図２は図１の背面側を斜め方向から見たときの斜視図である。
【符号の説明】
【００２１】
２    ガードル
４ａ、４ｂ、６ａ、６ｂ、８ａ、８ｂ  帯状部材
１０  尻部
Ａ、Ｂ  パワーネット
【図１】
0003122948.tif 000003
【図２】
0003122948.tif 000004